(57)【要約】【課題】座標位置を検出するための安定した放電を発生させ、精度よくライトペンの座標位置を検出することを可能とする表示装置を提供する。【解決手段】第１及び第２の表示領域にそれぞれ第１の方向に長い複数の走査電極を含む第１及び第２の表示電極対群を有する表示パネルと、１フィールド期間に複数の画像表示サブフィールドと、データ電極に書込み電圧Ｖｄを印加したまま走査電極に走査パルスを順次印加するｙ座標検出サブフィールドＳＦｙと、走査電極に走査電圧Ｖｓを印加したままデータ電極に書込みパルスを順次印加するｘ座標検出サブフィールドＳＦｘとを有し、ｙ座標検出サブフィールドでは、第１の表示電極対群のあとに第２の表示電極対群の走査電極に走査パルスを順次印加することを特徴とする。【選択図】図４
2013186457.tif 000002
【特許請求の範囲】
【請求項１】
表示領域が上下に位置する第１の表示領域と第２の表示領域からなり、前記第１の表示領域において第１の方向に長い複数の走査電極および維持電極からなる第１の表示電極対群と、前記第２の表示領域において前記第１の方向に長い複数の走査電極および維持電極からなる第２の表示電極対群と、前記第１の表示領域において前記第１の表示電極対群とは異なる平面上に前記第１の方向に交差する第２の方向に長い複数のデータ電極からなる第１のデータ電極群と、前記第２の表示領域において前記第２の表示電極対群とは異なる平面上に前記第１の方向に交差する前記第２の方向に長い複数のデータ電極からなる第２のデータ電極群と、を有する表示パネルと、１フィールド期間を複数のサブフィールドで構成して前記表示パネルを駆動する駆動回路とを備える表示装置であって、
前記１フィールド期間を構成する複数のサブフィールドは、画像を表示するための複数の画像表示サブフィールドと、前記データ電極に書込み電圧を印加した状態のまま前記走査電極に走査パルスを順次印加して走査するｙ座標検出サブフィールドと、前記走査電極に走査電圧を印加した状態のまま前記データ電極に書込みパルスを順次印加して走査するｘ座標検出サブフィールドとを有し、
前記ｙ座標検出サブフィールドでは、前記第１の表示電極対群の前記走査電極に走査パルスを順次印加したあとに前記第２の表示電極対群の前記走査電極に走査パルスを順次印加することを特徴とする表示装置。
【請求項２】
前記ｙ座標検出サブフィールドでは、前記走査電極に走査パルスを順次印加する方向は前記第１の表示電極対群と前記第２の表示電極対群と同じであることを特徴とする請求項１記載の表示装置。
【請求項３】
前記ｙ座標検出サブフィールドでは、前記第１の表示電極対群の上方の走査電極から下方の走査電極に向かって順番に走査パルスを印加した後に、前記第２の表示電極対群の上方の走査電極から下方の走査電極に向かって順番に走査パルスを印加することを特徴とする請求項１記載の表示装置。
【請求項４】
前記画像表示サブフィールドは書込み期間と維持期間を有し、前記書込み期間の同じ期間に前記第１の表示電極対群の走査電極と前記第２の表示電極対群の走査電極に走査パルスを順次印加することを特徴とする請求項１乃至請求項３のいずれかに記載の表示装置。
【請求項５】
表示領域が上下に位置する第１の表示領域と第２の表示領域からなり、前記第１の表示領域において第１の方向に長い複数の走査電極および維持電極からなる第１の表示電極対群と、前記第２の表示領域において前記第１の方向に長い複数の走査電極および維持電極からなる第２の表示電極対群と、前記第１の表示領域において前記第１の表示電極対群とは異なる平面上に前記第１の方向に交差する第２の方向に長い複数のデータ電極からなる第１のデータ電極群と、前記第２の表示領域において前記第２の表示電極対群とは異なる平面上に前記第１の方向に交差する前記第２の方向に長い複数のデータ電極からなる第２のデータ電極群と、を有する表示パネルに、１フィールド期間を複数のサブフィールドで構成して映像信号を表示する表示パネルの駆動方法であって、
前記１フィールド期間を構成する複数のサブフィールドは、画像を表示するための複数の画像表示サブフィールドと、前記データ電極に書込み電圧を印加した状態のまま前記走査電極に走査パルスを順次印加して走査するｙ座標検出サブフィールドと、前記走査電極に走査電圧を印加した状態のまま前記データ電極に書込みパルスを順次印加して走査するｘ座標検出サブフィールドとを有し、
前記ｙ座標検出サブフィールドでは、前記第１の表示電極対群の前記走査電極に走査パルスを順次印加したあとに前記第２の表示電極対群の前記走査電極に走査パルスを順次印加することを特徴とする表示パネルの駆動方法。
【請求項６】
前記ｙ座標検出サブフィールドでは、前記第１の表示電極対群の上方の走査電極から下方の走査電極に向かって順番に走査パルスを印加した後に、前記第２の表示電極対群の上方の走査電極から下方の走査電極に向かって順番に走査パルスを印加することを特徴とする請求項５記載の表示パネルの駆動方法。
【請求項７】
表示領域が上下に位置する第１の表示領域と第２の表示領域からなり、前記第１の表示領域において第１の方向に長い複数の走査電極および維持電極からなる第１の表示電極対群と、前記第２の表示領域において前記第１の方向に長い複数の走査電極および維持電極からなる第２の表示電極対群と、前記第１の表示領域において前記第１の表示電極対群とは異なる平面上に前記第１の方向に交差する第２の方向に長い複数のデータ電極からなる第１のデータ電極群と、前記第２の表示領域において前記第２の表示電極対群とは異なる平面上に前記第１の方向に交差する前記第２の方向に長い複数のデータ電極からなる第２のデータ電極群と、を有する表示パネルと、１フィールド期間を複数のサブフィールドで構成して前記表示パネルを駆動する駆動回路とを備える表示装置と、前記表示パネルの発光を検出するライトペンとを備える画像表示システムであって、
前記１フィールド期間を構成する複数のサブフィールドは、画像を表示するための複数の画像表示サブフィールドと、前記データ電極に書込み電圧を印加した状態のまま前記走査電極に走査パルスを順次印加して走査するｙ座標検出サブフィールドと、前記走査電極に走査電圧を印加した状態のまま前記データ電極に書込みパルスを順次印加して走査するｘ座標検出サブフィールドとを有し、
前記ｙ座標検出サブフィールドでは、前記第１の表示電極対群の前記走査電極に走査パルスを順次印加したあとに前記第２の表示電極対群の前記走査電極に走査パルスを順次印加する際に、前記表示パネルの発光を前記ライトペンで検出することを特徴とする画像表示システム。
【発明の詳細な説明】
【技術分野】
【０００１】
本発明は、ライトペンを用いて入力が可能な表示装置とその駆動方法、ライトペンと表示装置を用いた画像表示システムに関するものである。
【背景技術】
【０００２】
表示装置として代表的なディスプレイの一つである交流面放電型パネルのプラズマディスプレイパネル（以下、「パネル」と略記する）は、１対の走査電極と維持電極とからなる表示電極対が複数形成された前面基板と、複数のデータ電極が形成された背面基板とを対向配置し、その間に多数の放電セルが形成されている。そして放電セル内でガス放電により紫外線を発生させ、この紫外線で赤色、緑色および青色の各色の蛍光体を励起発光させてカラー表示を行う。
【０００３】
パネルを駆動する方法としては、１フィールド期間を複数のサブフィールドで構成し、発光させるサブフィールドの組み合わせによって階調表示を行うサブフィールド法が一般的である。各サブフィールドは、初期化期間、書込み期間および維持期間を有する。初期化期間では初期化放電を発生し、続く書込み動作に必要な壁電荷を形成する初期化動作を行う。書込み期間では、表示する画像に応じて放電セルで選択的に書込み放電を発生し壁電荷を形成する。そして維持期間では、走査電極と維持電極とに交互に維持パルスを印加して維持放電を発生させ、対応する放電セルの蛍光体層を発光させることにより画像表示を行う。
【０００４】
また、パネルの大型化や高精細化のために、水平方向に伸びる走査電極や維持電極、または垂直方向に伸びるデータ電極の数が増えている。これらの大型パネルまたは高精細パネルにおいて放電セルの発光を確実に行うために書込み期間を充分に時間をとる必要があり、そのためにデータ電極を上下に分割し、上下のデータ電極に同時に書込み放電を発生する駆動方法が、例えば特許文献１に記載されている。
【０００５】
さらに近年は、このようなパネルを用いて、黒板、ホワイトボードのように、表示画面上から、文字や絵などを入力できる電子黒板としての応用も検討されている。例えば特許文献２には、１フィールド期間を複数のサブフィールドに分割し、各サブフィールドにおける発光時間を異なる値に設定して階調表示を可能にするとともに、横座標検出用サブフィールドを設け、このサブフィールド期間内に横座標検出用パターンを表示させ、この横座標検出サブフィールドの発光をライトペンにて検出し、その発光タイミングからライトペンの示している横座標位置を求めるプラズマディスプレイ装置が記載されている。
【０００６】
また特許文献３には、座標位置検出時にのみ１フィールド中に座標位置検出期間を設けて、この期間内に走査ドライバおよびデータドライバに表示位置検出用の駆動信号を出力して、プラズマディスプレイパネル上に座標位置検出用の光信号を発生させ、ライトペンの光信号を検出するタイミングにより座標位置を検出する方法が記載されている。
【先行技術文献】
【特許文献】
【０００７】
【特許文献１】特開平１１−６５４８６号公報
【特許文献２】特開昭５０−１０８８３８号公報
【特許文献３】特開２００１−３１８７６５号公報
【発明の概要】
【発明が解決しようとする課題】
【０００８】
これらの大型パネルまたは高精細パネルを電子黒板として用いる場合、ライトペンの座標位置を検出するにも多くの時間を要するため、画像を表示するための時間が短くなり、パネルの放電セルの誤放電により画質が劣化し、または座標検出が適切に行われずライトペンによるパネルへの書き込みが十分にできないというような課題がある。
【０００９】
本発明は上記の課題に鑑みなされたものであり、電極数の多い大型パネルまたは高精細パネルを電子黒板等に用いる場合の表示装置またはその駆動方法において、座標位置を検出するための安定した放電を発生させ、精度よくライトペンの座標位置を検出するとともに、高画質の映像を表示する表示装置を提供することを目的とする。
【課題を解決するための手段】
【００１０】
上記目的を達成するために本発明は、表示領域が上下に位置する第１の表示領域と第２の表示領域からなり、第１の表示領域において第１の方向に長い複数の走査電極および維持電極からなる第１の表示電極対群と、第２の表示領域において第１の方向に長い複数の走査電極および維持電極からなる第２の表示電極対群と、第１の表示領域において第１の表示電極対群とは異なる平面上に第１の方向に交差する第２の方向に長い複数の第１のデータ電極群と、第２の表示領域において第２の表示電極対群とは異なる平面上に第１の方向に交差する第２の方向に長い複数の第２のデータ電極群と、を有する表示パネルと、１フィールド期間を複数のサブフィールドで構成して表示パネルを駆動する駆動回路とを備える表示装置であって、１フィールド期間を構成する複数のサブフィールドは、画像を表示するための複数の画像表示サブフィールドと、データ電極に書込み電圧を印加した状態のまま走査電極に走査パルスを順次印加して走査するｙ座標検出サブフィールドと、走査電極に走査電圧を印加した状態のままデータ電極に書込みパルスを順次印加して走査するｘ座標検出サブフィールドとを有し、ｙ座標検出サブフィールドでは、第１の表示電極対群の前記走査電極に走査パルスを順次印加したあとに第２の表示電極対群の前記走査電極に走査パルスを順次印加することを特徴とする。
【００１１】
また、さらにｙ座標検出サブフィールドでは、走査電極に走査パルスを順次印加する方向は第１の表示電極対群と第２の表示電極対群と同じ方向であることを特徴とし、例えば、ｙ座標検出サブフィールドでは、第１の表示電極対群の一番上の走査電極から下の走査電極に向かって順番に走査パルスを印加した後に、第２の表示電極対群の一番上の走査電極から下の走査電極に向かって順番に走査パルスを印加することを特徴とする。
【００１２】
また、さらに画像表示サブフィールドには書込み期間を有し、この書込み期間に第１の表示電極対群の走査電極と第２の表示電極対群の走査電極に同時期間に走査パルスを順次印加することを特徴とする。
【００１３】
また本願発明は、表示領域が上下に位置する第１の表示領域と第２の表示領域からなり、第１の表示領域において第１の方向に長い複数の走査電極および維持電極からなる第１の表示電極対群と、第２の表示領域において第１の方向に長い複数の走査電極および維持電極からなる第２の表示電極対群と、第１の表示領域において第１の表示電極対群とは異なる平面上に第１の方向に交差する第２の方向に長い複数のデータ電極からなる第１のデータ電極群と、第２の表示領域において第２の表示電極対群とは異なる平面上に第１の方向に交差する第２の方向に長い複数のデータ電極からなる第２のデータ電極群と、を有する表示パネルに、１フィールド期間を複数のサブフィールドで構成して映像信号を表示する表示パネルの駆動方法であって、１フィールド期間を構成する複数のサブフィールドは、画像を表示するための複数の画像表示サブフィールドと、データ電極に書込み電圧を印加した状態のまま走査電極に走査パルスを順次印加して走査するｙ座標検出サブフィールドと、走査電極に走査電圧を印加した状態のままデータ電極に書込みパルスを順次印加して走査するｘ座標検出サブフィールドとを有し、ｙ座標検出サブフィールドでは、第１の表示電極対群の走査電極に走査パルスを順次印加したあとに第２の表示電極対群の走査電極に走査パルスを順次印加することを特徴とする。
【００１４】
またさらに、ｙ座標検出サブフィールドでは、第１の表示電極対群の上方の走査電極から下方の走査電極に向かって順番に走査パルスを印加した後に、第２の表示電極対群の上方の走査電極から下方の走査電極に向かって順番に走査パルスを印加することを特徴とする。
【００１５】
また本願発明は、表示領域が上下に位置する第１の表示領域と第２の表示領域からなり、第１の表示領域において第１の方向に長い複数の走査電極および維持電極からなる第１の表示電極対群と、第２の表示領域において第１の方向に長い複数の走査電極および維持電極からなる第２の表示電極対群と、第１の表示領域において第１の表示電極対群とは異なる平面上に第１の方向に交差する第２の方向に長い複数のデータ電極からなる第１のデータ電極群と、第２の表示領域において第２の表示電極対群とは異なる平面上に第１の方向に交差する第２の方向に長い複数のデータ電極からなる第２のデータ電極群と、を有する表示パネルと、１フィールド期間を複数のサブフィールドで構成して表示パネルを駆動する駆動回路とを備える表示装置と、表示パネルの発光を検出するライトペンとを備える画像表示システムであって、１フィールド期間を構成する複数のサブフィールドは、画像を表示するための複数の画像表示サブフィールドと、データ電極に書込み電圧を印加した状態のまま走査電極に走査パルスを順次印加して走査するｙ座標検出サブフィールドと、走査電極に走査電圧を印加した状態のまま前記データ電極に書込みパルスを順次印加して走査するｘ座標検出サブフィールドとを有し、
ｙ座標検出サブフィールドでは、第１の表示電極対群の走査電極に走査パルスを順次印加したあとに第２の表示電極対群の走査電極に走査パルスを順次印加する際に、表示パネルの発光をライトペンで検出することを特徴とするものである。
【発明の効果】
【００１６】
本発明によれば、座標位置を検出するための安定した放電を発生させ、精度よくライトペンの座標位置を検出することができる表示装置、その表示装置の駆動方法、ライトペンと表示装置を用いる画像表示システムを提供することが可能となる。
【図面の簡単な説明】
【００１７】
【図１】本発明の一実施の形態であるプラズマディスプレイ装置のパネルの分解斜視図
【図２】同パネルの電極配列を示す図
【図３】本発明の一実施の形態であるプラズマディスプレイ装置の駆動電圧を示す第１の波形図
【図４】同プラズマディスプレイ装置の駆動電圧を示す第２の波形図
【図５】同プラズマディスプレイ装置の駆動電圧を示す第３の波形図
【図６】本発明の一実施の形態であるプラズマディスプレイ装置を用いた画像表示システムのブロック図
【図７】同画像表示システムの座標検出サブフィールドのタイミングチャートを示す図
【図８】同画像表示システムのプラズマディスプレイ装置およびライトペンの動作を説明するための第１の図
【図９】同画像表示システムのプラズマディスプレイ装置およびライトペンの動作を説明するための第２の図
【図１０】本発明の一実施の形態であるプラズマディスプレイ装置の走査電極駆動回路の回路図
【図１１】同プラズマディスプレイ装置の走査ＩＣの配置状態を記す図
【図１２】本発明の他の実施の形態であるプラズマディスプレイ装置の駆動電圧を示す第１の波形図
【発明を実施するための形態】
【００１８】
以下、本発明の実施の形態における表示装置およびライトペンと表示装置を用いた表示システムについて、図面を用いて説明する。
【実施例１】
【００１９】
本発明の実施の形態例として、パネルにプラズマディスプレイを用いた表示装置に関して図面を用いて説明する。図１は、本発明の一実施の形態例であるプラズマディスプレイ装置のパネル１０の分解斜視図である。ガラス製の前面基板１１上には、走査電極１２と維持電極１３とからなる表示電極対１４が複数形成されている。そして表示電極対１４を覆うように誘電体層１５が形成され、その誘電体層１５上に保護層１６が形成されている。背面基板２１上にはデータ電極２２が複数形成され、データ電極２２を覆うように誘電体層２３が形成され、さらにその上に井桁状の隔壁２４が形成されている。そして、隔壁２４の側面および誘電体層２３上には赤色、緑色および青色の各色に発光する蛍光体層２５が設けられている。
【００２０】
これら前面基板１１と背面基板２１とは、微小な放電空間を挟んで表示電極対１４とデータ電極２２とが交差するように対向配置され、その外周部をガラスフリット等の封着材によって封着されている。そして放電空間には、放電ガスとして、例えばネオンとキセノンとの混合ガスが封入されている。放電空間は隔壁２４によって複数の区画に仕切られており、表示電極対１４とデータ電極２２とが交差する部分に放電セルが形成されている。そしてこれらの放電セルが放電、発光することにより画像が表示される。
【００２１】
なお、パネル１０の構造は上述したものに限られるわけではなく、例えばストライプ状の隔壁を備えたものであってもよい。
【００２２】
図２は、本発明の実施の形態１におけるプラズマディスプレイ装置のパネル１０の電極配列図である。パネル１０は、中央部から上側と、中央部から下側のそれぞれに表示領域を２つ有しており、上側の表示領域には、第１の方向である水平方向に長いａ本の走査電極ＳＣ１〜ＳＣａ（図１の走査電極１２）およびａ本の維持電極ＳＵ１〜ＳＵａ（図１の維持電極１３）が配列され、水平方向に交差する第２の方向である垂直方向に長いｍ本のデータ電極ＤＵ１〜ＤＵｍ（図１のデータ電極２２）が配列されている。
【００２３】
上側の表示領域と同様に下側の表示領域にも第１の方向である水平方向に長いａ本の走査電極ＳＣ（a＋１）〜ＳＣｎ（図１の走査電極１２）およびａ本の維持電極ＳＵ（a＋１）〜ＳＵｎ（図１の維持電極１３）が配列され、水平方向に交差する第２の方向である垂直方向に長いｍ本のデータ電極ＤＤ１〜ＤＤｍ（図１のデータ電極２２）が配列されている。
【００２４】
そして、各々の表示領域では、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、パネル１０の全体における放電セルは、放電空間内にｍ×ｎ個が形成されている。
【００２５】
ここで隣接する３本のデータ電極と１対の表示電極対との交差する部分に形成される３個の放電セルは、赤のピクセル、緑のピクセル、青のピクセルである。そして赤のピクセル、緑のピクセル、青のピクセルが一組で１つの画素を構成する。したがって、例えばパネル１０が上側の表示領域と下側の表示領域とあわせて１０８０×１９２０の画素をもつ高精細度パネルであれば、ｎ＝１０８０、ｍ＝１９２０×３＝５７６０である。以下、便宜上、第１の方向を行方向、第２の方向を列方向とそれぞれ呼称する。
【００２６】
本実施の形態では、上側の表示領域が第１の表示領域、下側の表示領域が第２の表示領域、上側の表示領域の走査電極ＳＣ１〜ＳＣａおよび維持電極ＳＵ１〜ＳＵａが第１の表示電極対群、下側の表示領域の走査電極ＳＣ（a＋１）〜ＳＣｎおよび維持電極ＳＵ（a＋１）〜ＳＵｎが第２の表示電極対群、上側の表示領域の
データ電極ＤＵ１〜ＤＵｍが第１のデータ電極群、下側の表示領域のデータ電極ＤＤ１〜ＤＤｍが第２のデータ電極群を構成する。
【００２７】
次に、プラズマディスプレイ装置の駆動電圧波形について詳細に説明する。本実施の形態においては、１フィールド期間を、画像を表示するための複数の画像表示サブフィールドと、ｙ座標検出サブフィールドと、ｘ座標検出サブフィールドとで構成する。
【００２８】
画像を表示するための複数の画像表示サブフィールドは、書込み期間と維持期間とを有する８個のサブフィールドＳＦ１〜ＳＦ８であり、それぞれのサブフィールドの輝度重みは、例えばサブフィールドＳＦ１が「１」、続くサブフィールドＳＦ２〜ＳＦ８のそれぞれの輝度重みは、「２」、「３」、「５」、「８」、「１３」、「２１」、「３４」である。そしてサブフィールドの中には書込み期間の前に初期化期間を有しているものもあり、初期化期間では書込み期間や維持期間での放電セルでの動作を確実に行うように初期化放電を起こすように各電極に電圧が印加される。
【００２９】
本実施の形態では複数のサブフィールドのうち最初に配置されたサブフィールドＳＦ１の初期化期間で、以前の放電の履歴にかかわらず強制的に初期化放電を発生させる強制初期化動作を行い、それ以降に配置されたサブフィールドＳＦ２〜ＳＦ８の初期化期間では、直前のサブフィールドの維持期間において放電を発生させた放電セルのみで初期化放電を発生させる選択初期化動作を行う。
【００３０】
画像表示サブフィールドのあとのｙ座標検出サブフィールドＳＦｙは、パネル１０上に位置するライトペンのｙ座標を検出するためのサブフィールドであり、初期化期間とｙ座標検出期間とを有する。またｙ座標検出サブフィールドＳＦｙに続くｘ座標検出サブフィールドＳＦｘは、パネル１０上に位置するライトペンのｘ座標を検出するためのサブフィールドであり、初期化期間とｘ座標検出期間とを有する。
【００３１】
このように本実施の形態においては、１フィールド期間には、少なくとも画像を表示するための８個のサブフィールドＳＦ１〜ＳＦ８と、ｙ座標検出サブフィールドＳＦｙと、ｘ座標検出サブフィールドＳＦｘを含んでおり、そしてこのサブフィールドの順序で時間的に配置されてパネル１０を駆動する。しかし本発明は、上述したサブフィールド数、輝度重み等のサブフィールド構成に限定されるものではない。
【００３２】
まず画像表示サブフィールドの詳細について説明する。図３は、本発明の実施の形態１におけるプラズマディスプレイ装置の駆動電圧波形図の一部を記したものであり、画像表示サブフィールドのサブフィールドＳＦ１〜ＳＦ３においてパネル１０の各電極に印加する駆動電圧波形を示している。
【００３３】
最初のサブフィールドＳＦ１の初期化期間Ｐｉａの前半部では、データ電極ＤＵ１〜ＤＵｍおよびデータ電極ＤＤ１〜ＤＤｍに電圧０（Ｖ）を印加し、すべての維持電極ＳＵ１〜ＳＵｎに電圧０（Ｖ）を印加する。そして走査電極ＳＣ１〜ＳＣｎには正極性の電圧Ｖｉ２まで上昇する上り傾斜波形電圧を印加する。この傾斜波形電圧が上昇する間に、第１の表示領域では第１の表示電極対群の走査電極ＳＣ１〜ＳＣａと維持電極ＳＵ１〜ＳＵａ間、または第１の表示電極対群の走査電極ＳＣ１〜ＳＣａと第１のデータ電極群のデータ電極ＤＵ１〜ＤＵｍとの間でそれぞれ微弱な初期化放電が起こり、そして第１の表示電極対群の走査電極ＳＣ１〜ＳＣａ上に負極性の壁電圧が蓄積されるとともに、第１のデータ電極群のデータ電極ＤＵ１〜ＤＵｍ上および第１の表示電極対群の維持電極ＳＵ１〜ＳＵａ上には正極性の壁電圧が蓄積される。ここで、電極上の壁電圧とは電極を覆う誘電体層上、保護層上、蛍光体層上等に蓄積された壁電荷により生じる電圧を表す。
【００３４】
同様に第２の表示領域でも第２の表示電極対群の走査電極ＳＣ（ａ＋１）〜ＳＣｎと維持電極ＳＵ（ａ＋１）〜ＳＵｎ間、または第２の表示電極対群の走査電極ＳＣ（ａ＋１）〜ＳＣｎと第２のデータ電極群のデータ電極ＤＤ１〜ＤＤｍとの間でそれぞれ微弱な初期化放電が起こり、そして、走査電極ＳＣ（ａ＋１）〜ＳＣｎ上に負極性の壁電圧が蓄積されるとともに、データ電極ＤＤ１〜ＤＤｍ上および維持電極ＳＵ（ａ＋１）〜ＳＵｎ上には正極性の壁電圧が蓄積される。
【００３５】
初期化期間Ｐａｉの後半部では、データ電極ＤＵ１〜ＤＵｍおよびデータ電極ＤＤ１〜ＤＤｍに電圧０（Ｖ）を印加し、維持電極ＳＵ１〜ＳＵｎに正極性の電圧Ｖｅを印加する。そして走査電極ＳＣ１〜ＳＣｎには負極性の電圧Ｖｉ４まで下降する下り傾斜波形電圧を印加する。この間に、第１の表示領域では、第１の表示電極対群の走査電極ＳＣ１〜ＳＣａと維持電極ＳＵ１〜ＳＵａ間、または第１の表示電極対群の走査電極ＳＣ１〜ＳＣａと第１のデータ電極群のデータ電極ＤＵ１〜ＤＵｍとの間でそれぞれ微弱な初期化放電が起こる。そして、第１の表示電極対群の走査電極ＳＣ１〜ＳＣａ上の負極性の壁電圧および第１の表示電極対群の維持電極ＳＵ１〜ＳＵａ上の正極性の壁電圧が弱められ、第１のデータ電極群のデータ電極ＤＵ１〜ＤＵｍ上の正極性の壁電圧は書込み動作に適した値に調整される。
【００３６】
同様に第２の表示領域でも、第２の表示電極対群の走査電極ＳＣ（ａ＋１）〜ＳＣｎと維持電極ＳＵ（ａ＋１）〜ＳＵｎ間、または第２の表示電極対群の走査電極ＳＣ（ａ＋１）〜ＳＣｎと第２のデータ電極群のデータ電極ＤＤ１〜ＤＤｍとの間でそれぞれ微弱な初期化放電が起こる。そして、第２の表示電極対群の走査電極ＳＣ（ａ＋１）〜ＳＣｎ上の負極性の壁電圧および第２の表示電極対群の維持電極ＳＵ（ａ＋１）〜ＳＵｎ上の正極性の壁電圧が弱められ、第２のデータ電極群のデータ電極ＤＤ１〜ＤＤｍ上の正極性の壁電圧は書込み動作に適した値に調整される。
【００３７】
以上の動作により、パネル１０において強制的に初期化放電を行う強制初期化動作が終了する。
【００３８】
続く書込み期間Ｐｗでは、第１の表示領域も第２の表示領域も同時に同じ駆動が行われる。データ電極ＤＵ１〜ＤＵｍおよびデータ電極ＤＤ１〜ＤＤｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。本実施の形態において、この間の時間Ｔｗ０はおよそ５０μｓである。
【００３９】
次に、第１の表示領域と第２の表示領域のそれぞれの上から１行目の走査電極、すなわち第１の表示電極対群の走査電極ＳＣ１と第２の表示電極対群の走査電極ＳＣ（ａ＋１）に負極性の電圧Ｖａの走査パルスを印加する。そして、データ電極ＤＵ１〜ＤＵｍおよびデータ電極ＤＤ１〜ＤＤｍの、それぞれの表示領域の１行目に発光させるべき放電セルのデータ電極ＤＵｋ、データ電極ＤＤｋ（ｋ＝１〜ｍ）に電圧Ｖｄの書込みパルスを印加する。本実施の形態において走査パルスＶａおよび書込みパルスＶｄを印加する時間Ｔｗ１は１μｓである。
【００４０】
すると書込みパルスＶｄを印加した放電セルのデータ電極ＤＵｋと走査電極ＳＣ１上との交差部の電圧差、または書込みパルスＶｄを印加したデータ電極ＤＤｋ上と走査電極ＳＣ（a＋１）上との交差部の電圧差は放電開始電圧を超える。すると第１の表示領域ではデータ電極ＤＵｋと走査電極ＳＣ１との間および維持電極ＳＵ１と走査電極ＳＣ１との間に書込み放電が起こる。そして走査電極ＳＣ１上に正極性の壁電圧が蓄積され、維持電極ＳＵ１上に負極性の壁電圧が蓄積され、データ電極ＤＵｋ上にも負極性の壁電圧が蓄積される。また、第２の表示領域ではデータ電極ＤＤｋと走査電極ＳＣ（ａ＋１）との間および維持電極ＳＵ（ａ＋１）と走査電極ＳＣ（ａ＋１）との間に書込み放電が起こり、走査電極ＳＣ（ａ＋１）上に正極性の壁電圧が蓄積され、維持電極ＳＵ（ａ＋１）上に負極性の壁電圧が蓄積され、データ電極ＤＤｋ上にも負極性の壁電圧が蓄積される。
【００４１】
このようにして、各表示領域の上から１行目に発光させるべき放電セルで書込み放電を起こして各電極上に壁電圧を蓄積する書込み動作が行われる。一方、書込みパルスを印加しなかったデータ電極と走査電極ＳＣ１または走査電極ＳＣ（ａ＋１）との交差部の電圧は放電開始電圧を超えないので、書込み放電は発生しない。
【００４２】
次に、各表示領域の上から２行目の走査電極ＳＣ２および走査電極ＳＣ（ａ＋２）に電圧Ｖａの走査パルスを印加する。そして、データ電極ＤＵ１〜ＤＵｍおよびデータ電極ＤＤ１〜ＤＤｍのうち、上から２行目の走査電極ＳＣ２および走査電極ＳＣ（ａ＋２）に発光させるべき放電セルのデータ電極ＤＵｋおよびデータ電極ＤＤｋに電圧Ｖｄの書込みパルスを印加する。すると書込みパルスを印加した放電セルのデータ電極ＤＵｋと走査電極ＳＣ２との間および維持電極ＳＵ２と走査電極ＳＣ２との間と、書込みパルスを印加した放電セルのデータ電極ＤＤｋと走査電極ＳＣ（ａ＋２）との間および維持電極ＳＵ（ａ＋２）と走査電極ＳＣ（ａ＋２）との間とに書込み放電が起こる。一方、書込みパルスを印加しなかったデータ電極と走査電極ＳＣ２との交差部と書込みパルスを印加しなかったデータ電極と走査電極ＳＣ（ａ＋２）との交差部の電圧は放電開始電圧を超えないので、書込み放電は発生しない。
【００４３】
以下同様に、第１の表示領域では走査電極ＳＣ３〜ＳＣａに走査パルスを順次印加するとともに発光させるべき放電セルのデータ電極ＤＵｋに書込みパルスを印加して、パネル１０の第３行目〜第ａ行目に発光させるべき放電セルで書込み放電を起こして書込み動作を行い、第２の表示領域では走査電極ＳＣ（ａ＋３）〜ＳＣｎに走査パルスを順次印加するとともに発光させるべき放電セルのデータ電極ＤＤｋに書込みパルスを印加して、パネル１０の第（ａ＋３）行目〜第ｎ行目に発光させるべき放電セルで書込み放電を起こして書込み動作を行う。
【００４４】
以上により第１の表示領域と第２の表示領域では、それぞれの最も上の走査電極から下方に向かって各々の走査電極に順次に書込み動作が行われ、それぞれ走査電極ＳＣａ、走査電極ＳＣｎに関わる放電セルに書込み動作を行って書込み期間を終了する。
【００４５】
続く維持期間Ｐｓでは、データ電極Ｄ１〜Ｄｍに電圧０（Ｖ）を印加する。そして走査電極ＳＣ１〜ＳＣｎに電圧Ｖｓの維持パルスを印加するとともに維持電極ＳＵ１〜ＳＵｎに電圧０（Ｖ）を印加する。すると書込み放電を起こした放電セルでは、走査電極ＳＣｉと維持電極ＳＵｉとの間に維持放電が起こり、このとき発生した紫外線により蛍光体層２５が発光する。そして走査電極ＳＣｉ上に負極性の壁電圧が蓄積され、維持電極ＳＵｉ上に正極性の壁電圧が蓄積される。さらにデータ電極Ｄｋ上にも正極性の壁電圧が蓄積される。書込み期間Ｐｗにおいて書込み放電が起きなかった放電セルでは維持放電は発生せず、初期化期間Ｐｉの終了時における壁電圧が保たれる。
【００４６】
続いて、走査電極ＳＣ１〜ＳＣｎには電圧０（Ｖ）を印加するとともに維持電極ＳＵ１〜ＳＵｎには電圧Ｖｓの維持パルスを印加する。すると維持放電を起こした放電セルでは再び維持放電が起こり、維持電極ＳＵｉ上に負極性の壁電圧が蓄積され走査電極ＳＣｉ上に正極性の壁電圧が蓄積される。以下同様に輝度重みに応じた数の維持パルスを走査電極ＳＣ１〜ＳＣｎと維持電極ＳＵ１〜ＳＵｎとに交互に印加し、書込み期間Ｐｗにおいて書込み放電を起こした放電セルで維持放電を継続して発生させる。
【００４７】
そして維持期間Ｐｓの最後には、データ電極ＤＵ１〜ＤＵｍおよびデータ電極ＤＤ１〜ＤＤｍに電圧０（Ｖ）を印加しながら、維持電極ＳＵ１〜ＳＵｎに電圧０（Ｖ）を印加し、また走査電極ＳＣ１〜ＳＣｎに電圧Ｖｒまで上昇する上り傾斜波形電圧を印加する。するとこの間に、維持放電を発生した走査電極ＳＣｉと維持電極ＳＵｉとの間で微弱な消去放電が起こり、データ電極ＤＵｋ上およびデータ電極ＤＤｋ上の正極性の壁電圧を残したまま、走査電極ＳＣｉ上および維持電極ＳＵｉ上の壁電圧を弱める。以上により第１の表示領域と第２の表示領域において維持動作が終了する。また、この維持動作が終了して第１のサブフィールドＳＦ１の駆動が終了する。
【００４８】
サブフィールドＳＦ１に続くサブフィールドＳＦ２の初期化期間Ｐｉでは、データ電極ＤＵ１〜ＤＵｍおよびデータ電極ＤＤ１〜ＤＤｍに電圧０（Ｖ）を印加し、維持電極ＳＵ１〜ＳＵｎに電圧Ｖｅを印加し、走査電極ＳＣ１〜ＳＣｎには電圧Ｖｉ４まで下降する下り傾斜波形電圧を印加する。すると直前のサブフィールドＳＦ１で維持放電を起こした放電セルでは微弱な初期化放電が発生し、走査電極ＳＣｉ上および維持電極ＳＵｉ上の壁電圧が弱められる。またデータ電極ＤＵｋおよびデータ電極ＤＤｋに対しては、直前の維持放電によってデータ電極ＤＵｋ上およびデータ電極ＤＤｋ上に十分な正極性の壁電圧が蓄積されているので、この壁電圧の過剰な部分が放電され、書込み動作に適した壁電圧に調整される。  一方、直前のサブフィールドＳＦ１で維持放電を起こさなかった放電セルについては放電することはなく、直前のサブフィールドＳＦ１の初期化期間Ｐｉ終了時における壁電圧が保たれる。
【００４９】
このようにサブフィールドＳＦ２の初期化期間Ｐｉでは、直前のサブフィールドＳＦ１の書込み期間Ｐｗで書込み動作を行った放電セル、すなわちサブフィールドＳＦ１の維持期間Ｐｓで維持動作を行った放電セルに対して選択的に初期化放電を発生させる選択初期化動作を行う。
【００５０】
サブフィールドＳＦ２の書込み期間Ｐｗの動作はサブフィールドＳＦ１の書込み期間Ｐｗの動作と同様であるため説明を省略する。また続く維持期間Ｐｓの動作も、維持パルスの数を除いてサブフィールドＳＦ１の維持期間Ｐｓの動作と同様であり、さらにサブフィールドＳＦ３〜ＳＦ８の動作も、維持パルスの数を除いてサブフィールドＳＦ２の動作と同様であるのでそれぞれの説明は省略する。
【００５１】
次に、画像表示サブフィールドＳＦ１〜ＳＦ８に続くサブフィールドＳＦｏの駆動について、駆動電圧波形図を用いて説明する。図４は、座標検出のための各サブフィールドにおいてパネル１０の各電極に印加する駆動電圧波形を示している。座標検出のためのサブフィールドとして、座標検出ヘッダサブフィールドＳＦｏと、ｙ座標検出サブフィールドＳＦｙと、ｘ座標検出サブフィールドＳＦｘとを有する。座標検出ヘッダサブフィールドＳＦｏは、初期化期間と、書込み期間と、座標検出ヘッダ期間とを有する。
【００５２】
座標検出ヘッダサブフィールドＳＦｏの初期化期間Ｐｉａでは、サブフィールドＳＦ２の初期化期間Ｐｉと同様に、選択初期化動作を行う。すなわち、データ電極ＤＵ１〜ＤＵｍおよびデータ電極ＤＤ１〜ＤＤｍに電圧０（Ｖ）を印加し、維持電極ＳＵ１〜ＳＵｎに電圧Ｖｅを印加し、走査電極ＳＣ１〜ＳＣｎには電圧Ｖｉ４まで下降する下り傾斜波形電圧を印加する。すると直前のサブフィールドＳＦ８で維持放電を起こした放電セルで初期化放電が発生する。
【００５３】
座標検出ヘッダサブフィールドＳＦｏの書込み期間Ｐｗでは、データ電極ＤＵ１〜ＤＵｍおよびデータ電極ＤＤ１〜ＤＤｍに電圧０（Ｖ）を印加し、維持電極ＳＵ１〜ＳＵｎに電圧Ｖｅを印加し、走査電極ＳＣ１〜ＳＣｎのそれぞれには電圧Ｖｃを印加する。その後、データ電極ＤＵ１〜ＤＵｍおよびデータ電極ＤＤ１〜ＤＤｍに電圧Ｖｄの書込みパルスを印加するとともに走査電極ＳＣ１〜ＳＣｎに電圧Ｖａの走査パルスを印加する。すると全ての放電セルで同時に書込み放電が発生する。
【００５４】
続く座標検出ヘッダサブフィールドＳＦｏの座標検出ヘッダ期間Ｐｏの動作は図４、図５を用いて説明する。図５は座標検出ヘッダ期間Ｐｏの走査電極ＳＣ１〜ＳＣｎのうちのいずれかの走査電極ＳＣｈ（ｈは１からｎのうちのいずれかの整数）に印加する駆動電圧波形を示す図である。
【００５５】
図５の座標検出ヘッダ期間Ｐｏの時刻ｔｏ１において、走査電極ＳＣ１〜ＳＣｎに電圧Ｖｓの維持パルスを印加するとともに維持電極ＳＵ１〜ＳＵｎに電圧０（Ｖ）を印加して、全ての放電セルで維持放電を発生させる。次に、時刻ｔｏ１から時間Ｔｏ１経過後の時刻ｔｏ２において、走査電極ＳＣ１〜ＳＣｎに電圧０（Ｖ）を印加するとともに維持電極ＳＵ１〜ＳＵｎに電圧Ｖｓの維持パルスを印加して、再び維持放電を発生させる。さらに次に、時刻ｔｏ２から時間Ｔｏ２経過後の時刻ｔｏ３において、走査電極ＳＣ１〜ＳＣｎに電圧Ｖｓの維持パルスを再び印加するとともに維持電極ＳＵ１〜ＳＵｎに電圧０（Ｖ）を印加して、３回目の維持放電を発生させる。続いて時刻ｔｏ３から時間Ｔｏ３経過後の時刻ｔｏ４において、走査電極ＳＣ１〜ＳＣｎに電圧０（Ｖ）を印加するとともに維持電極ＳＵ１〜ＳＵｎに電圧Ｖｓの維持パルスを印加して、４回目の維持放電を発生させる。
【００５６】
ここで、時間Ｔｏ１、時間Ｔｏ２、時間Ｔｏ３はあらかじめ定められた数列の示す３つの時間であり、詳細は後述するが、時間Ｔｏ１、時間Ｔｏ２、時間Ｔｏ３の間隔で発生する４回の維持放電を検出して座標基準信号を作成する。
【００５７】
そして座標検出ヘッダ期間Ｐｏの最後には、走査電極ＳＣ１〜ＳＣｎに電圧Ｖｒまで上昇する上り傾斜波形電圧を印加して微弱な消去放電を発生させる。以上により座標検出ヘッダサブフィールドＳＦｏの動作が終了する。
次に続くｙ座標検出サブフィールドＳＦｙおよびｘ座標検出サブフィールドＳＦｘの詳細について説明する。ｙ座標検出サブフィールドＳＦｙの初期化期間Ｐｉｂでは、サブフィールドＳＦ２の初期化期間Ｐｉと同様に、選択初期化動作を行う。すなわち、データ電極Ｄ１〜Ｄｍに電圧０（Ｖ）を印加し、維持電極ＳＵ１〜ＳＵｎに電圧Ｖｅを印加し、走査電極ＳＣ１〜ＳＣｎには電圧Ｖｉ４まで下降する下り傾斜波形電圧を印加する。すると直前のサブフィールドＳＦｏの座標検出ヘッダ期間Ｐｏで維持放電を起こしたすべての放電セルで微弱な初期化放電が発生し、走査電極ＳＣｉ上および維持電極ＳＵｉ上の壁電圧が弱められる。またデータ電極ＤＵｋおよびデータ電極ＤＤｋに対しても、直前のサブフィールドＳＦｏの維持放電によってデータ電極ＤＵｋおよびデータ電極ＤＤｋ上に十分な正極性の壁電圧が蓄積されているので、この壁電圧の過剰な部分が放電され、書込み動作に適した壁電圧に調整される。以上により、ｙ座標検出サブフィールドＳＦｙの初期化期間Ｐｉｂの選択初期化動作が終了する。
【００５８】
ｙ座標検出サブフィールドＳＦｙのｙ座標検出期間Ｐｙでは、まずデータ電極ＤＵ１〜ＤＵｍ及びデータ電極ＤＤ１〜ＤＤｍに電圧０（Ｖ）を印加し、維持電極ＳＵ１〜ＳＵｎに電圧Ｖｅを印加し、走査電極ＳＣ１〜ＳＣｎのそれぞれには走査パルスの電圧Ｖａよりも高い電圧Ｖｃを印加する。そしてこの状態をおよそ７００μｓ保つ。
【００５９】
次に、データ電極ＤＵ１〜ＤＵｍ及びデータ電極ＤＤ１〜ＤＤｍに書込み電圧Ｖｄより引くい電圧Ｖｄｙを印加する。そして、第１の表示領域の１行目の走査電極ＳＣ１に走査パルス電圧Ｖａより高い電圧Ｖａｙを印加する。するとこの１行目の放電セルのデータ電極ＤＵ１〜ＤＵｍ上と走査電極ＳＣ１上との交差部の電圧差は放電開始電圧を超え、データ電極Ｄ１〜Ｄｍと走査電極ＳＣ１との間および維持電極ＳＵ１と走査電極ＳＣ１との間に書込み放電が起こる。そして走査電極ＳＣ１上に正極性の壁電圧が蓄積され、維持電極ＳＵ１上に負極性の壁電圧が蓄積され、データ電極ＤＵ１〜ＤＵｍ上にも負極性の壁電圧が蓄積される。
このようにして、第１の表示領域の１行目の放電セルで同時に書込み放電を起こして、第１の表示領域の１行目の放電セルで構成される１行目の放電セルの行が発光する。
【００６０】
次に、データ電極ＤＵ１〜ＤＵｍ及びデータ電極ＤＤ１〜ＤＤｍに書込み電圧Ｖｄｙを印加したまま、第１の表示領域の２行目の走査電極ＳＣ２に電圧Ｖａｙの走査パルスを印加する。するとデータ電極ＤＵ１〜ＤＵｍと走査電極ＳＣ２との間および維持電極ＳＵ２と走査電極ＳＣ２との間に書込み放電が起こり、第１の表示領域の２行目の画素行、すなわち２行目の放電セル行が発光する。以下同様に、データ電極ＤＵ１〜ＤＵｍ及びデータ電極ＤＤ１〜ＤＤｍに書込み電圧Ｖｄｙを印加したまま走査電極ＳＣ３〜ＳＣａに走査パルスを順次印加して、第１の表示領域の３行目〜ａ行目の放電セル行を順次発光させる。
【００６１】
第１の表示領域のａ行目の発光を終えたあと、データ電極ＤＵ１〜ＤＵｍ及びデータ電極ＤＤ１〜ＤＤｍに書込み電圧Ｖｄｙを印加したまま第２表示領域の第１行目である走査電極ＳＣ（ａ＋１）に走査パルス電圧Ｖａより高い電圧Ｖａｙを印加する。すると第１表示領域の放電セルと同様に、この走査電極ＳＣ（ａ＋１）の放電セルのデータ電極ＤＤ１〜ＤＤｍ上と走査電極ＳＣ（ａ＋１）上との交差部の電圧差は放電開始電圧を超え、データ電極ＤＤ１〜ＤＤｍと走査電極ＳＣ（ａ＋１）との間および維持電極ＳＵ（ａ＋１）と走査電極ＳＣ（ａ＋１）との間に書込み放電が起こる。そして走査電極ＳＣ（ａ＋１）上に正極性の壁電圧が蓄積され、維持電極ＳＵ（ａ＋１）上に負極性の壁電圧が蓄積され、データ電極ＤＤ１〜ＤＤｍ上にも負極性の壁電圧が蓄積される。
【００６２】
以下同様に、データ電極ＤＵ１〜ＤＵｍ及びデータ電極ＤＤ１〜ＤＤｍに書込み電圧Ｖｄｙを印加したまま、走査電極ＳＣ（ａ＋２）〜ＳＣｎに走査パルスＶａｙを順次印加して、第２の表示領域の２行目〜ｎ行目の放電セル行を順次発光させる。
【００６３】
このようにｙ座標検出サブフィールドＳＦｙにおいて、走査パルスの電圧Ｖａよりも高い電圧Ｖｃを走査電極ＳＣ１〜ＳＣｎに印加するとともに書込み電圧Ｖｄｙよりも低い電圧０（Ｖ）をデータ電極ＤＵ１〜ＤＵｍ及びデータ電極ＤＤ１〜ＤＤｍに印加した状態を所定の時間Ｔｙ０の間続けた後に、データ電極ＤＵ１〜ＤＵｍ及びデータ電極ＤＤ１〜ＤＤｍに書込み電圧Ｖｄｙを印加したまま走査電極ＳＣ１〜ＳＣｎに走査パルスを順次印加する。こうしてｙ座標検出期間Ｐｙでは、第１の表示領域と第２の表示領域からなる表示画面の上端部から下端部まで、走査する１本の横線が順次表示される。そのため後述するように、パネル１０の表示画面上に位置するライトペンが放電セル行の発光を受光し、座標検出ヘッダ期間Ｐｏのある時間からの発光のタイミングを知ることで、ライトペンが示している表示画面の位置のｙ座標を検出することができる。ただし、横線の走査する速度は非常に速いので、視覚的には表示画面全体が僅かに明るくなったようにしか見えず、画質には影響が少ない。
【００６４】
また第１の表示領域と第２の表示領域においてそれぞれの走査電極に走査パルスを順次印加する方向を同じとし、また第１の表示領域の走査電極を終えたあとに第２の表示領域の走査電極に走査パルスを印加する、すなわち第１の表示領域の走査電極ＳＣ１〜ＳＣａに走査パルスＶａｙを順次印加したあと、続けて第２の表示領域の走査電極ＳＣ（ａ＋１）〜ＳＣｎに走査パルスＶａｙを順次印加するので、表示画面上のライトペンの示すｙ座標を正確に検出することができる。
【００６５】
なお本実施の形態においてｙ座標検出サブフィールドＳＦｙのｙ座標検出期間Ｐｙでは、走査パルスＶａｙをすべての走査電極ＳＣ１〜ＳＣｎに印加する間、データ電極ＤＵ１〜ＤＵｍ及びデータ電極ＤＤ１〜ＤＤｍに書込み電圧Ｖｄｙを印加するが、第１の表示領域の走査電極ＳＣ１〜ＳＣａに走査パルスＶａｙを印加する期間はデータ電極ＤＵ１〜ＤＵｍだけに書込み電圧Ｖｄｙを印加し、データ電極ＤＤ１〜ＤＤｍには０（Ｖ）を印加していてもよく、また第２の表示領域の走査電極ＳＣ（ａ＋１）〜ＳＣｎに走査パルスＶａｙを印加する期間はデータ電極ＤＤ１〜ＤＤｍだけに書込み電圧Ｖｄｙを印加し、データ電極ＤＵ１〜ＤＵｍには０（Ｖ）を印加していてもよい。
【００６６】
また、本実施の形態１では、第１の表示領域の走査電極を終えたあとに第２の表示領域の走査電極に走査パルスを印加する例を説明したが本発明はこれに限るものではなく、例えば第２の表示領域のあと第１の表示電極の順番とし、しかも走査順を第２の表示電極ＳＣｎから第２の表示領域の走査電極ＳＣ（ａ＋１）に向かって表示画面の下から上に順に書込み電圧Ｖｄｙを印加し、そのあと第１の表示領域の走査電極ＳＣａから第１の表示領域の走査電極ＳＣ１に向かって順に書込み電圧Ｖｄｙを印加するものであっても、上述の例と同等の効果を得ることができる。
【００６７】
続くｘ座標検出サブフィールドＳＦｘについて図４を用いて説明する。ｘ座標検出サブフィールドＳＦｘの初期化期間Ｐｉａでは強制初期化動作を行う。まずｘ座標検出サブフィールドＳＦｘの初期化期間Ｐｉａの前半部では、画像表示用サブフィールドＳＦ１の初期化期間Ｐｉａの前半部と同様に、データ電極ＤＵ１〜ＤＵｍ及びデータ電極ＤＤ１〜ＤＤｍに電圧０（Ｖ）を印加し、維持電極ＳＵ１〜ＳＵｎに電圧０（Ｖ）を印加する。そして走査電極ＳＣ１〜ＳＣｎには電圧Ｖｉ２まで上昇する上り傾斜波形電圧を印加する。この傾斜波形電圧が上昇する間に、走査電極ＳＣ１〜ＳＣｎと維持電極ＳＵ１〜ＳＵｎ、走査電極ＳＣ１〜ＳＣｎとデータ電極ＤＵ１〜ＤＵｍ及びデータ電極ＤＤ１〜ＤＤｍとの間でそれぞれ微弱な初期化放電が起こる。そして、走査電極ＳＣ１〜ＳＣｎ上に負極性の壁電圧が蓄積されるとともに、データ電極ＤＵ１〜ＤＵｍ及びデータ電極ＤＤ１〜ＤＤｍ上および維持電極ＳＵ１〜ＳＵｎ上には正極性の壁電圧が蓄積される。
【００６８】
続くｘ座標検出サブフィールドＳＦｘの初期化期間Ｐｉａの後半部では、データ電極ＤＵ１〜ＤＵｍ及びデータ電極ＤＤ１〜ＤＤｍに電圧０（Ｖ）を、維持電極ＳＵ１〜ＳＵｎに電圧Ｖｅを印加しながら走査電極ＳＣ１〜ＳＣｎには、電圧０（Ｖ）から電圧Ｖｉ４まで下降する下り傾斜波形電圧を印加する。するとこの間に、走査電極ＳＣ１〜ＳＣｎと維持電極ＳＵ１〜ＳＵｎ、走査電極ＳＣ１〜ＳＣｎとデータ電極ＤＵ１〜ＤＵｍ及びデータ電極ＤＤ１〜ＤＤｍとの間でそれぞれ微弱な初期化放電が起こる。そして、走査電極ＳＣ１〜ＳＣｎ上の負極性の壁電圧および維持電極ＳＵ１〜ＳＵｎ上の正極性の壁電圧が弱められる。
【００６９】
またデータ電極ＤＵｋおよびデータ電極ＤＤｋに関しては、直前の維持放電によってデータ電極Ｄｋ上に蓄積されている正極性の壁電圧の一部が放電される。    
本実施の形態の例では、ｘ座標検出サブフィールドＳＦｘの初期化期間Ｐｉａは画像表示用のサブフィールドＳＦ１の初期化期間Ｐｉａでの駆動波形と同じものを用いたので、このときのデータ電極ＤＵ１〜ＤＵｍ及びデータ電極ＤＤ１〜ＤＤｍ上に残留する正極性の壁電圧は画像表示用サブフィールドＳＦ１〜ＳＦ８の初期化期間Ｐｉａにおいてデータ電極ＤＵ１〜ＤＵｍ及びデータ電極ＤＤ１〜ＤＤｍ上に残留する正極性の壁電圧と同じくらいの値であるが、ｘ座標検出サブフィールドＳＦｘの初期化期間Ｐｉａの駆動動作はこれに限るものでなく、座標検出用として各電極に印加する電圧を変えてデータ電極ＤＵ１〜ＤＵｍ及びデータ電極ＤＤ１〜ＤＤｍ上に残留する正極性の壁電圧を画像表示用サブフィールドの時よりも少ない値に調整されてもよい。これはｘ座標検出サブフィールドＳＦｘの初期化期間Ｐｉａに続くｘ座標検出期間Ｐｘにおいて走査電極ＳＣ１〜ＳＣｎに長期間にわたり走査電圧Ｖａｘを印加することにより壁電圧が徐々に減少していくが、ｘ座標検出期間Ｐｘの後半においてもある程度の壁電荷を残すためにｘ座標検出期間Ｐｘの最初に走査電圧Ｖａｘを印加する際に起こる放電をより小さくするためである。
【００７０】
例えば、ｘ座標検出サブフィールドＳＦｘの初期化期間Ｐｉの後半部において走査電極ＳＣ１〜ＳＣｎに印加する下り傾斜波形電圧の到達電圧Ｖｉ４を、画像表示サブフィールドＳＦ１〜ＳＦ８の初期化期間Ｐｉにおいて走査電極ＳＣ１〜ＳＣｎに印加する下り傾斜波形電圧の到達電圧Ｖｉ４よりも高い電圧Ｖｉ６とし、データ電極ＤＵ１〜ＤＵｍ及びデータ電極ＤＤ１〜ＤＤｍに電圧Ｖｄを印加すれば、データ電極Ｄ１〜Ｄｍに印加する電圧Ｖｄから走査電極ＳＣ１〜ＳＣｎに印加する下り傾斜波形電圧の到達電圧Ｖｉ６を減じた電圧が、画像表示サブフィールドＳＦ１〜ＳＦ８の初期化期間Ｐｉａにおいてデータ電極Ｄ１〜Ｄｍに印加する電圧０（Ｖ）から走査電極ＳＦ１〜ＳＦ８に印加する下り傾斜波形電圧の到達電圧Ｖｉ４を減じた電圧よりも高い電圧となるように設定する。これによりデータ電極ＤＵ１〜ＤＵｍ及びデータ電極ＤＤ１〜ＤＤｍ上に残留する正極性の壁電圧を、画像表示サブフィールドＳＦ１〜ＳＦ８の初期化期間Ｐｉａにおいてデータ電極Ｄ１〜Ｄｍ上に残留する正極性の壁電圧よりも少ない値に調整することができる。これにより、ｘ座標検出サブフィールドＳＦｘのｘ座標検出期間Ｐｘにおいて走査電極ＳＣ１〜ＳＣｎに電圧Ｖａを印加した直後に流れる暗電流を抑制できるので、ｘ座標検出期間Ｐｘの初期の壁電荷の減少を抑えることができ、ｘ座標検出期間Ｐｘの後半においてもある程度の壁電荷を残すことができる。
さらにまた、ｘ座標検出サブフィールドＳＦｘの初期化期間Ｐｉａの後半部において維持電極ＳＵ１〜ＳＵｎに印加する電圧を電圧ｅより高い電圧Ｖｓと設定しても同様にｘ座標検出期間Ｐｘの後半においてもある程度の壁電荷を残すことができる。以上により、ｘ座標検出サブフィールドＳＦｘの初期化期間Ｐｉａの強制初期化動作が終了する。
【００７１】
ｘ座標検出サブフィールドＳＦｘのｘ座標検出期間Ｐｘでは、最初にデータ電極ＤＵ１〜ＤＵｍ及びデータ電極ＤＤ１〜ＤＤｍに電圧０（Ｖ）を印加し、維持電極ＳＵ１〜ＳＵｎに電圧Ｖｅを印加し、走査電極ＳＣ１〜ＳＣｎのそれぞれには走査電圧Ｖａｘよりも高い電圧Ｖｃを印加する。そして所定の時間Ｔｘ０の間、この状態を保つ。所定の時間Ｔｘ０は、２００μｓ以上であって１ｍｓ以下の時間に設定することが望ましく、本実施の形態において時間Ｔｘ０はおよそ７００μｓである。
【００７２】
次に、維持電極ＳＵ１〜ＳＵｎに電圧Ｖｅを印加したまますべての走査電極、すなわち走査電極ＳＣ１〜ＳＣｎに負極性の走査電圧Ｖａｘを印加する。そして１つの画素、すなわち赤のピクセル、緑のピクセル、青のピクセルに対応する第１の表示領域の１〜３列目のデータ電極ＤＵ１〜ＤＵ３および第２の表示領域の１〜３列目のデータ電極ＤＤ１〜ＤＤ３に電圧Ｖｄｘの書込みパルスを同時に印加する。するとデータ電極ＤＵ１〜ＤＵ３上と走査電極ＳＣ１〜ＳＣａ上との交差部およびデータ電極ＤＤ１〜ＤＤ３上と走査電極ＳＣ（ａ＋１）〜ＳＣｎ上との交差部のそれぞれの電圧差は放電開始電圧を超え、第１の表示領域ではデータ電極ＤＵ１〜ＤＵ３と走査電極走査電極ＳＣ１〜ＳＣａとの間および維持電極ＳＵ１〜ＳＵａと走査電極走査電極ＳＣ１〜ＳＣａとの間に書込み放電が起こり、同様に第２の表示領域ではデータ電極ＤＤ１〜ＤＤ３と走査電極走査電極ＳＣ（ａ＋１）〜ＳＣｎとの間および維持電極ＳＵ（ａ＋１）〜ＳＵｎと走査電極走査電極ＳＣ（ａ＋１）〜ＳＣｎとの間に書込み放電が起こる。そして、走査電極ＳＣ１〜ＳＣｎ上に正極性の壁電圧が蓄積され、維持電極ＳＵ１〜ＳＵｎ上に負極性の壁電圧が蓄積され、データ電極ＤＵ１〜ＤＵ３及びデータ電極ＤＤ１〜ＤＤ３上にも負極性の壁電圧が蓄積される。
このようにして、表示画面の第１の表示領域および第２の表示領域の１〜３列目の放電セルで同時に書込み放電を起こして、１列目の放電セルで構成される１列目の放電セル列、２列目の放電セルで構成される２列目の放電セル列、３列目の放電セルで構成される３列目の放電セル列が発光する。
【００７３】
次に、維持電極ＳＵ１〜ＳＵｎに電圧Ｖｅを、走査電極ＳＣ１〜ＳＣｎに走査電圧Ｖａｘを印加したまま、４〜６列目のデータ電極ＤＵ４〜ＤＵ６及びデータ電極ＤＤ４〜ＤＤ６に電圧Ｖｄｘの書込みパルスを印加する。するとデータ電極ＤＵ４〜ＤＵ６及びデータ電極ＤＤ４〜ＤＤ６と走査電極ＳＣ１〜ＳＣｎとの間、加えて維持電極ＳＵ１〜ＳＵｎと走査電極ＳＣ１〜ＳＣｎとの間に書込み放電が起こり、画像の２列目の画素列、すなわち４〜６列目の放電セル列が発光する。
【００７４】
以下同様に、第１表示領域および第２表示領域のデータ電極を３本ずつ、データ電極Ｄｍに至るまで書込みパルスＶｄｘを順次印加して、放電セル列３列ずつ、ｍ列目の放電セル列に至るまで順次発光させる。
【００７５】
このように、ｘ座標検出サブフィールドＳＦｘにおいて、所定の時間Ｔｘ０の間、走査電圧Ｖａよりも高い電圧Ｖｃを走査電極ＳＣ１〜ＳＣｎに印加するとともに書込みパルスの電圧Ｖｄよりも低い電圧０（Ｖ）をデータ電極Ｄ１〜Ｄｍに印加した後に、走査電極ＳＣ１〜ＳＣｎに走査電圧Ｖａｘを印加したままデータ電極ＤＵ１〜ＤＵｍ及びデータ電極ＤＤ１〜ＤＤｍに電圧Ｖｄｘの書込みパルスを順次印加する。
【００７６】
こうしてｘ座標検出期間Ｐｘでは、表示画面上に垂直方向に伸びる３本の放電セル列からなる縦線が、表示画面の左端部から右端部まで走査する。そのため後述するように、ライトペンで放電セル列の発光を受光し、発光のタイミングを知ることでライトペンが示している表示画面の位置のｘ座標を検出することができる。ただし、縦線の走査する速度は非常に速いので、視覚的には表示画面全体が僅かに明るくなったようにしか見えない。以上の動作により、ｘ座標検出期間Ｐｘが終了する。
【００７７】
なお本実施の形態において各電極に印加する電圧値は、例えば、電圧Ｖｉ２＝３５０（Ｖ）、電圧Ｖｉ４＝−１７５（Ｖ）、電圧Ｖｉ６＝−１４０（Ｖ）、電圧Ｖａ＝−２００（Ｖ）、電圧Ｖｃ＝−５０（Ｖ）、電圧Ｖｓ＝２０５（Ｖ）、電圧Ｖｒ＝２０５（Ｖ）、電圧Ｖｅ＝１５５（Ｖ）、電圧Ｖｄ＝５５（Ｖ）である。また画像表示用のサブフィールドＳＦ１の初期化期間Ｐｉａにおいて走査電極に印加する上り傾斜波形電圧の傾斜は、１．５（Ｖ／μｓ）、初期化期間Ｐｉａにおいて走査電極に印加する下り傾斜波形電圧の傾斜は、−２．５（Ｖ／μｓ）、維持期間Ｐｓの最後において走査電極に印加する上り傾斜波形電圧の傾斜は、１０（Ｖ／μｓ）である。ただしこれらの電圧値および傾斜波形電圧の傾斜は一例を挙げたに過ぎず、パネル１０の特性やプラズマディスプレイ装置の仕様等に合わせて、適宜最適な値に設定することが望ましい。
【００７８】
上述したように本実施の形態においては、１フィールド期間を構成する複数のサブフィールドは、画像を表示するための複数の画像表示サブフィールドＳＦ１〜ＳＦｎと、座標検出ヘッダサブフィールドＳＦｏと、データ電極ＤＵ１〜ＤＵｍ及びデータ電極ＤＤ１〜ＤＤｍに正極性の書込み電圧Ｖｄを印加したまま走査電極ＳＣ１〜ＳＣｎに負極性の走査パルスを順次印加して第１の方向に長い発光を第２の方向に走査させるｙ座標検出サブフィールドＳＦｙと、走査電極ＳＣ１〜ＳＣｎに負極性の走査電圧Ｖａを印加したまま、データ電極ＤＵ１〜ＤＵｍ及びデータ電極ＤＤ１〜ＤＤｍに正極性の書込みパルスを順次印加して第２の方向に長い発光を第１の方向に走査させるｘ座標検出サブフィールドＳＦｘとを有する。これにより、座標位置を検出するための安定した放電を発生させることができる。
【００７９】
また本実施の形態においては、ｘ座標検出サブフィールドＳＦｘのｘ座標検出期間Ｐｘの最初の所定の時間Ｔｘ０の間、走査電圧Ｖａｘよりも高い電圧Ｖｃを走査電極ＳＣ１〜ＳＣｎに印加するとともに書込みパルスの電圧Ｖｄｘよりも低い電圧０（Ｖ）をデータ電極ＤＵ１〜ＤＵｍ及びデータ電極ＤＤ１〜ＤＤｍに所定の時間Ｔｘ０印加する。するとｘ座標検出サブフィールドＳＦｘの初期化期間Ｐｉで発生したプライミングが減少する。これにより、その後に、走査電極ＳＣ１〜ＳＣｎに走査電圧Ｖａｘを印加したままデータ電極ＤＵ１〜ＤＵｍ及びデータ電極ＤＤ１〜ＤＤｍに電圧Ｖｄｘの書込みパルスを順次印加する際に徐々に減少する壁電荷の減少量を抑えることができる。
【００８０】
さらに本実施の形態においては、ｘ座標検出サブフィールドＳＦｘの初期化期間Ｐｉａにおいて、矩形波形電圧を用いた放電を発生させることなく、走査電極ＳＣ１〜ＳＣｎに上り傾斜波形電圧を印加した後に走査電極ＳＣ１〜ＳＣｎに下り傾斜波形電圧を印加して、傾斜波形電圧を用いた放電のみを発生させるとともに、ｙ座標検出サブフィールドＳＦｙのあとにｘ座標検出サブフィールドＳＦｘを配置している。するとｘ座標検出サブフィールドＳＦｘの初期化期間Ｐｉａにおいて多量のプライミングが発生することなく、かつ輝度重みの大きい画像表示用のサブフィールドＳＦ８の維持期間Ｐｓに発生した多量のプライミングがｙ座標検出サブフィールドＳＦｙの期間にほぼ消滅する。これによっても、走査電極ＳＣ１〜ＳＣｎに電圧Ｖａｘを印加中に徐々に減少する壁電荷の減少量を抑えることができる。
【００８１】
次に、表示装置および表示装置システムの構成について詳細に説明する。図６は、本発明の実施の形態１における表示装置および画像表示システムのブロック図であり、表示手段としてプラズマディスプレイパネルを用いたプラズマディスプレイ装置とプラズマディスプレイ装置による画像表示システムのブロック図である。
【００８２】
プラズマディスプレイ装置３０は、第１の方向に長い複数の走査電極および維持電極と第１の方向に交差する第２の方向に長い複数のデータ電極とを有するプラズマディスプレイからなるパネル１０と、１フィールド期間を複数のサブフィールドで構成してこのパネル１０を駆動する駆動回路とを備えている。また画像表示システムは、画像表示システム１００は、画像表示装置３０とライトペン５０とを備える。
【００８３】
プラズマディスプレイからなるパネル１０は図２で説明したように表示画面が上側と下側の２つの領域に分かれるように電極が配置され、またそれぞれの電極を駆動する回路が備えている。
【００８４】
また駆動回路は、画像信号処理回路３１、データ電極駆動回路３２Ｕ、データ電極駆動回路３２Ｄ、走査電極駆動回路３３Ｕ、走査電極駆動回路３３Ｄ、維持電極駆動回路３４Ｕ、維持電極駆動回路３４Ｄ、タイミング発生回路３５、描画回路４４、および各回路ブロックに必要な電源を供給する電源回路（図示せず）を備えている。
【００８５】
画像信号処理回路３１は、入力した画像信号と描画回路４４とから出力される描画信号とを切換えて、または合成して、サブフィールド毎の発光・非発光を示す画像データに変換する。データ電極駆動回路３２Ｕおよびデータ電極駆動回路３２Ｄは、画像データをデータ電極のそれぞれに対応する書込みパルスに変換し、データ電極ＤＵ１〜ＤＵｍおよびデータ電極ＤＤ１〜ＤＤｍのそれぞれに印加する。
【００８６】
タイミング発生回路３５は、水平および垂直の同期信号をもとにして各回路ブロックの動作を制御する各種のタイミング信号を発生し、それぞれの回路ブロックへ供給する。走査電極駆動回路３３Ｕおよび走査電極駆動回路３３Ｄはタイミング信号に基づいて走査電極ＳＣ１〜ＳＣｎのそれぞれに駆動電圧を印加し、維持電極駆動回路３４Ｕおよび維持電極駆動回路３４Ｄはタイミング信号に基づいて維持電極ＳＵ１〜ＳＵｎに駆動電圧を印加する。
【００８７】
ライトペン５０は、パネル１０の表示画面上に文字や絵などを入力するためのものであり、描画スイッチ５１と、受光素子５２と、タイミング検出回路５４と、座標算出回路５６と、送信回路５８とを備えている。
【００８８】
描画スイッチ５１はライトペン５０の先端部に取付けられ、ライトペン５０がパネル１０の表示画面に接触しているとオンになり、表示画面から離れるとオフになる。受光素子５２は、パネル１０の発光を受光して、タイミング検出回路５４および座標算出回路５６に受光信号を出力する。
【００８９】
図７は、本発明の実施の形態における画像表示システム１００の座標検出サブフィールドのタイミングチャートであり、受光素子５２から出力される受光信号を示している。
【００９０】
タイミング検出回路５４は、受光信号の中から、あらかじめ定められた所定の数列に対応する時間間隔で発生した発光を検出し、タイミング検出サブフィールドＳＦｏのタイミング検出期間Ｐｏのタイミング検出放電を特定する。具体的には、受光信号の中から、発光の間隔が順に時間Ｔｏ１、時間Ｔｏ２、時間Ｔｏ３となる４個の連続する発光を探す。そして４個の連続する発光の１つ、例えば、タイミング検出期間Ｐｏの時刻ｔｏ１に発生した発光を基準とし、あらかじめ分かっている時間Ｔｏｙおよび時間Ｔｏｘに基づいて、時刻ｔｙ０と時刻ｔｘ０とに立上りエッジを有する座標基準信号を作成し、座標算出回路５６に出力する。
【００９１】
座標算出回路５６は、時間の長さを計測するためのカウンタと、カウンタの出力に演算を施す演算回路とを備える。そしてライトペン５０が指し示す画像表示装置３０の表示画面上の位置座標を受光素子５２の出力に基づき算出する。
【００９２】
図８はライトペン５０の位置座標を検出するときのパネル１０の様子を示したものである。パネル１０の第１の表示領域と第２の表示領域において、ｙ座標検出サブフィールドＳＦｙのｙ座標検出期間Ｐｙにわたり第１の方向である水平方向に延びた線状の発光を第２の方向である垂直方向に移動させるので、パネル１０の表示画面上には、図８に示したように、表示画面の上端部から下端部まで移動する１本の横線Ｌｙが表示される。そしてライトペン５０が示している表示画面の座標（ｘ、ｙ）を横線Ｌｙが通過する時刻ｔｙｙにおいて、ライトペン５０の受光素子は横線Ｌｙの発光を受光する。そのため、受光素子は、図６に示したように時刻ｔｙｙで受光を示す受光信号を出力する。
【００９３】
また、ｘ座標検出サブフィールドＳＦｘのｘ座標検出期間Ｐｘにおいて第２の方向である垂直方向に延びた線状の発光を第１の方向である水平方向に移動させるので、パネル１０の表示画面上には、図８に示したように、パネル１０の表示画面の左端部から右端部まで移動する１本の縦線Ｌｘが表示される。そしてライトペン５０が示している表示画面の座標（ｘ、ｙ）を縦線Ｌｘが通過する時刻ｔｘｘにおいて、ライトペン５０の受光素子は縦線Ｌｘの発光を受光する。そのため、受光素子は、図６に示したように時刻ｔｘｘで受光を示す受光信号を出力する。
【００９４】
座標算出回路５６は、ｙ座標検出期間Ｐｙにおいてタイミング検出回路５４から出力される座標基準信号と受光素子５２から出力される受光信号にもとづき、時刻ｔｙ０から時刻ｔｙｙまでの時間Ｔｙｙを測定する。そして時間Ｔｙｙをｙ座標検出期間Ｐｙの走査パルスのパルス幅である時間Ｔｙ１で除算してｙ座標Ｙを求める。本実施の形態では上下に位置する２つの表示領域のそれぞれの走査電極に、上から下に向かう方向に順番に走査パルスを印加するので、第１の表示領域も第２の表示領域でもｙ座標Ｙを検出することができる。
【００９５】
またｘ座標検出期間Ｐｘにおいてタイミング発生回路３５から出力される座標基準信号とライトペン５０の受光素子から出力される受光信号にもとづき、時刻ｔｘ０から時刻ｔｘｘまでの時間Ｔｘｘを測定する。そして時間Ｔｘｘをｘ座標検出期間Ｐｘの走査パルスのパルス幅である時間Ｔｘ１で除算してｘ座標Ｘを求める。このようして座標算出回路５６は、ライトペン５０が示している表示画面の座標（Ｘ、Ｙ）を求める。
【００９６】
送信回路５８は、座標算出回路５６が算出したｘ座標Ｘおよびｙ座標Ｙをエンコードしてプラズマディスプレイ装置３０に無線信号で送信する。それと同時に、描画スイッチ５１の状態Ｓ（例えば、描画スイッチ５１がオンであれば、Ｓ＝「１」、オフであれば、Ｓ＝「０」）をエンコードしてプラズマディスプレイ装置３０に無線信号で送信する。
【００９７】
プラズマディスプレイ装置３０の受信回路４２は、ライトペン５０から送られる無線信号をデコードしてｘ座標Ｘ、ｙ座標Ｙ、および描画スイッチ５１の状態Ｓを再生する。なお受信回路４２には、ｘ座標Ｘ、ｙ座標Ｙ、および描画スイッチ５１の状態Ｓがフィールド毎に時々刻々と送られてくるので、以下ではそれぞれに時間のパラメータｔを追加して、ｘ座標Ｘ（ｔ）、ｙ座標Ｙ（ｔ）、および描画スイッチ５１の状態Ｓ（ｔ）と表記する。
【００９８】
描画回路４４はフレームメモリを備える。そして描画スイッチ５１がオンのときはフィルタ処理を施されたｘ座標Ｘ（ｔ）およびｙ座標Ｙ（ｔ）をフレームメモリに書き込む。こうして位置座標（Ｘ（ｔ）、Ｙ（ｔ））にもとづき、描画スイッチ５１がオン時にライトペン５０が指し示す位置座標の軌跡を描画した画像信号を作成し、画像表示装置３０に出力する。また描画スイッチ５１がオフのときはｘ座標Ｘ（ｔ−１）およびｙ座標Ｙ（ｔ−１）をフレームメモリから消去するとともに、ｘ座標Ｘ（ｔ）およびｙ座標Ｙ（ｔ）をフレームメモリに書き込む。こうしてライトペン５０の指し示す位置を示すカーソルを表示する描画信号を作成し、画像表示装置３０に出力する。
【００９９】
図９は、本発明の実施の形態における画像表示システム１００の描画の一例を示す模式図である。例えば、図９（ａ）に示した位置Ａでライトペン５０を画像表示面に接触させてライトペン５０の描画スイッチ５１をオンにする。すると描画回路４４は、座標（Ｘ（ｔ）、Ｙ（ｔ））に対応する画素を中心に、所定の色および大きさの丸などのパターンをフレームメモリに書込む。使用者がライトペン５０をパネル１０の画像表示面に接触させたままライトペンを図９（ａ）の位置Ｂまで移動させると、座標（Ｘ（ｔ）、Ｙ（ｔ））も移動する。そして描画回路４４は移動する座標（Ｘ（ｔ）、Ｙ（ｔ））を中心に所定のパターンをフレームメモリに順次書き込む。こうして描画回路４４は、図９（ａ）に示したように、ライトペン５０の軌跡を示す描画信号を作成する。
【０１００】
また、図９（ｂ）に示した位置Ｂでライトペン５０を画像表示面から離して描画スイッチ５１をオフにする。この場合であっても受光素子５２がパネル１０の発光を受光している間は、座標（Ｘ（ｔ）、Ｙ（ｔ））を算出することができる。すると描画回路４４は、座標（Ｘ（ｔ）、Ｙ（ｔ））に対応する画素を中心に、カーソルを示す所定の色および形のパターンをフレームメモリに書込む。使用者がライトペンをパネル１０から離し、描画スイッチ５１をオフにしたまま位置Ｃまで移動させ、位置Ｃでライトペン５０を画像表示面に接触させて描画スイッチ５１をオンにすると、座標（Ｘ（ｔ）、Ｙ（ｔ））も移動する。描画回路４４は、１フィールド前の座標（Ｘ（ｔ−１）、Ｙ（ｔ−１））に対応するカーソルのパターンを消去しつつ、座標（Ｘ（ｔ）、Ｙ（ｔ））対応する画素を中心に、カーソルを示す所定の色および形のパターンをフレームメモリに書込む。こうして描画回路４４は、図９（ｂ）に示したように、ライトペン５０が指し示す表示画面上の位置を移動するカーソルを示す描画信号を作成する。
【０１０１】
このように、描画回路４４は、描画スイッチ５１がオンの場合には位置座標を保存することでカーソルの軌跡を描画した画像信号を作成し、描画スイッチ５１がオフの場合には位置座標を保存せずにカーソルを表示した画像信号を作成する。
【０１０２】
これにより、使用者は、ライトペン５０を用いて表示画面上から文字や絵などを入力でき、さらに同じライトペン５０を用いて離れた位置から画像表示画面上の特定の位置を指し示すことができる。
【０１０３】
また本実施の形態では、図９に示すようにライトペン５０が第１の表示領域から第２の表示領域に移動し、または第２の表示領域から第１の表示領域に移動したときでも正確にライトペン５０のｙ座標Ｙ（ｔ）を検出することができる。これはｙ座標検出サブフィールドのｙ座標検出期間Ｐｙにおいて第１の表示領域の上から下まで走査パルスを各走査電極に順番に印加したあと、第２表示領域でも上から下まで走査パルスを各走査電極に順番に印加しているので、表示画面の最も上の走査電極から最も下の走査電極までが連続して走査されているのでｙ座標Ｙが連続した数値で検出されるためである。つまり本実施の形態では、表示領域が２つあっても、そのｙ座標はＹ＝１〜１９８０であるので、ｙ座標を誤ることなく瞬時に検出することができる。
【０１０４】
また本実施の形態においては、描画スイッチ５１はライトペン５０の先端部にのみ取付けられているとして説明したが、使用者が操作できるように、ライトペン５０の側面に描画スイッチを設けてもよい。あるいはライトペン５０の先端部とライトペン５０の側面との両方に描画スイッチを設けてもよい。これにより表示画面からはなれた位置であっても描画することができる。
【０１０５】
また実施の形態において説明した各回路ブロックは、電気回路として構成されてもよく、同様の動作をするようにプログラミングされたプロセッサ等を用いて構成されてもよい。
【０１０６】
さらに、実施の形態において用いた具体的な各数値は、単に一例を挙げたに過ぎず、パネルの特性や画像表示装置の仕様等に合わせて、適宜最適な値に設定することが望ましい。
【実施例２】
【０１０７】
本実施の形態では、図２のように表示領域が表示画面の上下に分かれていて、それぞれの表示領域にデータ電極駆動回路を構成するパネルを駆動する表示装置において、それぞれの表示領域の走査電極に走査パルスを印加する順番を異なるように駆動する走査電極駆動回路４３の一構成例とその動作について説明する。
【０１０８】
図１０は、本発明の実施の形態２におけるプラズマディスプレイ装置１の走査電極駆動回路３３Ｕ、３３Ｄの構成を示す回路図である。プラズマディスプレイパネルであるパネル１０と、パネル１０の水平方向の電極の一つの維持電極を駆動するための維持電極駆動回路３４Ｕ、維持電極駆動回路３４Ｄと、パネル１０の水平方向の電極の一つの走査電極を駆動するための走査電極駆動回路３３Ｕと、走査電極駆動回路３３Ｄが図１０に記載されている。
【０１０９】
走査電極駆動回路３３Ｕ、走査電極駆動回路３３Ｄは、走査パルス発生回路３５０（３５０Ｕ、３５０Ｄ）と、初期化波形発生回路３５１と、走査電極側の維持パルス発生回路３５２とを備え、走査パルス発生回路３５０のそれぞれの出力はパネル１０の走査電極ＳＣ１〜ＳＣｎのそれぞれに接続されている。図１０では初期化波形発生回路３５１と、走査電極側の維持パルス発生回路３５２が走査電極駆動回路３３Ｕ、走査電極駆動回路３３Ｄのそれぞれに対して共用するブロック図が記載されているが、このような形態でもよく、または走査電極駆動回路３３Ｕ、走査電極駆動回路３３Ｄに１つずつ備えるものであってもよい。
【０１１０】
初期化波形発生回路３５１は、初期化期間において走査パルス発生回路３５０Ｕおよび走査パルス発生回路３５０Ｄの基準電位Ａをランプ状に上昇または降下させ、図３に示した初期化波形電圧を発生させる。
【０１１１】
維持パルス発生回路３５２は、走査パルス発生回路３５０の基準電位Ａを電圧Ｖｓまたは接地電位にすることで、図３に示した維持パルス電圧を発生させる。
【０１１２】
走査パルス発生回路３５０Ｕは、書込み期間において基準電位Ａを負の電圧Ｖａに接続するためのスイッチ７２と、電圧Ｖｃを与えるための電源ＶＣと、ａ本の走査電極ＳＣ１〜ＳＣａのそれぞれに走査パルス電圧を印加するためのスイッチング素子ＱＨ１〜ＱＨａおよびスイッチング素子ＱＬ１〜ＱＬａを備えている。同様に走査パルス発生回路３５０Ｄは、書込み期間において基準電位Ａを負の電圧Ｖａに接続するためのスイッチ７２と、電圧Ｖｃを与えるための電源ＶＣと、ａ本の走査電極ＳＣ（ａ＋１）〜ＳＣｎのそれぞれに走査パルス電圧を印加するためのスイッチング素子ＱＨ（ａ＋１）〜ＱＨｎおよびスイッチング素子ＱＬ（ａ＋１）〜ＱＬｎを備えている。
【０１１３】
スイッチング素子ＱＨ１〜ＱＨｎ、ＱＬ１〜ＱＬｎは複数の出力毎にまとめられＩＣ化されている。このＩＣが走査ＩＣである。そして、スイッチング素子ＱＨｉをオフ、スイッチング素子ＱＬｉをオンにすることにより、スイッチング素子ＱＬｉを経由して走査電極ＳＣｉに負の走査パルス電圧Ｖａを印加する。
【０１１４】
なお、初期化波形発生回路３５１または維持パルス発生回路３５２を動作させているときは、スイッチング素子ＱＨ１〜ＱＨｎをオフ、スイッチング素子ＱＬ１〜ＱＬｎをオンにすることにより、スイッチング素子ＱＬ１〜ＱＬｎを経由して各走査電極ＳＣ１〜ＳＣｎに初期化波形電圧または維持パルス電圧を印加する。
【０１１５】
なお、本実施の形態２では、９０出力分のスイッチング素子を１つのモノシリックＩＣとして集積し、パネル１０は２つの表示領域を併せて１０８０本の走査電極を備えているものとして、以下の説明を行う。そして、図１１に記すとおりパネル１０の上から配置される走査ＩＣ（１）〜走査ＩＣ（１２）の１２石の走査ＩＣを用いて走査パルス発生回路５０を構成し、ｎ＝１０８０本の走査電極ＳＣ１〜ＳＣｎを駆動するものとする。このように多数のスイッチング素子ＱＨ１〜ＱＨｎ、ＱＬ１〜ＱＬｎをＩＣ化することにより部品点数を削減し、実装面積を低減することができる。ただし、ここに挙げた数値は単なる一例であり、本発明は何らこれらの数値に限定されるものではない。
【０１１６】
また、本実施の形態２では、書込み期間において、タイミング発生回路４５から出力される動作開始信号ＳＩＤ（１）〜ＳＩＤ（１２）を走査ＩＣ（１）〜走査ＩＣ（１２）のそれぞれに入力している。この動作開始信号ＳＩＤ（１）〜ＳＩＤ（１２）は、走査ＩＣに動作を開始させるための信号であり、走査ＩＣ（１）〜走査ＩＣ（１２）は、動作開始信号ＳＩＤ（１）〜ＳＩＤ（１２）に従って動作順序が切換えられる。
【０１１７】
例えば、ｙ座標検出サブフィールドＳＦｙのｙ座標検出期間Ｐｙにおいて第１の表示領域の走査電極ＳＣ１８１〜走査電極ＳＣ２７０に接続された走査ＩＣ（３）を動作させた後に、同じく第１の表示領域の走査電極ＳＣ２７１〜走査電極ＳＣ３６０に接続された走査ＩＣ（４）を動作させる場合は、次のような動作となる。
【０１１８】
タイミング発生回路４５は、動作開始信号ＳＩＤ（３）をＬｏ（例えば、０（Ｖ））からＨｉ（例えば、５（Ｖ））に変化させ、走査ＩＣ（３）に動作の開始を指示する。走査ＩＣ（３）は、動作開始信号ＳＩＤ（３）の電圧変化を検知し、これにより動作を開始する。まず、スイッチング素子ＱＨ１８１をオフ、スイッチング素子ＱＬ１８１をオンにし、スイッチング素子ＱＬ１８１を経由して走査電極ＳＣ１８１に走査パルス電圧Ｖａｙを印加する。走査電極ＳＣ１８１での書込みが終了した後は、スイッチング素子ＱＨ１８１をオン、スイッチング素子ＱＬ１８１をオフにし、引き続き、スイッチング素子ＱＨ１８２をオフ、スイッチング素子ＱＬ１８２をオンにし、スイッチング素子ＱＬ１８２を経由して走査電極ＳＣ１８２に走査パルス電圧Ｖａｙを印加する。この一連の動作を順次行い、走査電極ＳＣ１８１〜走査電極ＳＣ２７０に順次走査パルス電圧Ｖａｙを印加して、動作を終了する。
【０１１９】
走査ＩＣ（３）の動作終了後、タイミング発生回路４５は、動作開始信号ＳＩＤ（４）をＬｏ（例えば、０（Ｖ））からＨｉ（例えば、５（Ｖ））に変化させ、走査ＩＣ（４）に動作の開始を指示する。走査ＩＣ（４）は、動作開始信号ＳＩＤ（４）の電圧変化を検知し、これにより上述と同様の動作を開始し、走査電極ＳＣ２７１〜走査電極ＳＣ３６０に順次走査パルス電圧Ｖａｙを印加する。
【０１２０】
第１の表示領域から第２の表示領域に切り換える場合は、第１の表示領域の走査ＩＣ（６）に接続される走査電極ＳＣ５４０に走査パルス電圧Ｖａｙを印加したあと、タイミング発生回路４５は、動作開始信号ＳＩＤ（７）をＬｏ（例えば、０（Ｖ））からＨｉ（例えば、５（Ｖ））に変化させ、第２の表示領域の走査ＩＣ（７）に動作の開始を指示する。
【０１２１】
本実施の形態では、このように、動作開始信号であるＳＩＤを用いることで走査ＩＣの動作の切換えや、複数の走査ＩＣを同時に動作させることができるので、走査電極へ電圧を印加する順番を制御することが可能となる。例えば（実施の形態１）では画像を表示するための複数の画像表示サブフィールドＳＦ１〜ＳＦ８の書込み期間では、まず動作開始信号ＳＩＤ（１）および動作開始信号ＳＩＤ（ａ＋１）をＬｏ（例えば、０（Ｖ））からＨｉ（例えば、５（Ｖ））に変化させ、第１の表示領域の走査ＩＣ（１）および第２の表示領域の走査ＩＣ（ａ＋１）に動作の開始を指示する。走査ＩＣ（１）および走査ＩＣ（ａ＋１）の動作が終了したら動作開始信号ＳＩＤ（２）および動作開始信号ＳＩＤ（ａ＋２）をＬｏからＨｉに変化させ、第１の表示領域の走査ＩＣ（２）および第２の表示領域の走査ＩＣ（ａ＋２）に動作の開始を指示する。このように第１の表示領域と第２の表示領域を同時に、上から下に走査ＩＣを順番に動作させる。
【０１２２】
一方、ｙ座標検出サブフィールドＳＦｙのｙ座標検出期間Ｐｙでは、動作開始信号ＳＩＤ（１）をＨｉにして走査ＩＣ（１）を動作させた後、動作開始信号ＳＩＤ（２）をＨｉにし走査ＩＣ（２）を動作させ、その後順次第１の表示領域の
すべての走査ＩＣを動作させる。第１の表示領域の最後の走査ＩＣ（６）が動作した後は、連続して動作開始信号ＳＩＤ（７）をＨｉにして第２の表示領域の最初の走査ＩＣ（７）を動作させ、続けて第２の表示領域のすべての走査ＩＣを走査ＩＣ（１２）まで順次動作させる。
【０１２３】
このように動作開始信号ＳＩＤを用いることで、各サブフィールドの走査パルスの印加状態を変えることができるので、高品質および高画質の表示装置およびライトペンと表示装置を用いた表示装置システムを実現することができる。
【０１２４】
（実施の形態１）では、図３を用いて画像表示用の複数のサブフィールドの駆動電圧波形を説明したが、図１２に画像表示用の複数のサブフィールドの他の駆動電圧波形について記している。図３との違いは各サブフィールドの書込み期間Ｐｗにおいて、走査パルスを印加する走査電極の順番が異なっている。例えば図１２のサブフィールドＳＦ１では、第１の表示領域では書込み期間Ｐｗに最初に走査電極ＳＣ１に走査パルスの電圧Ｖａを印加し、パネル１０の中央部の走査電極ＳＣａに向かって各走査電極に順次走査パルスが印加される。これに対して第２の表示領域では、書込み期間Ｐｗに最初に、最も下の走査電極ＳＣｎに走査パルスの電圧Ｖａを印加し、次に走査電極ＳＣ（ｎ−１）、続けて走査電極ＳＣ（ｎ−２）と、パネル１０の中央部の走査電極ＳＣａに向かって下から上に向かって各走査電極に順次走査パルスが印加される。このように第１の表示領域では上から中央に向かって上から順に、また第２の表示領域では下から中央に向かって下から順に走査パルスを印加するので、第１の表示領域と第２の表示領域の境界付近の走査電極の壁電荷の状態は、維持期間では同じ状態になる。従ってこの境界付近の輝度差を抑制することができて、高画質の表示を可能とする。
【０１２５】
画像表示サブフィールドＳＦ１〜ＳＦ８に続く座標検出のためのサブフィールドは、（実施の形態１）で図４を用いて説明したものと同じように、ｙ座標検出サブフィールドＳＦｙのｙ座標検出期間では第１の表示領域の走査電極ＳＣ１〜ＳＣａに走査パルスＶａｙを順次印加したあと、続けて第２の表示領域の走査電極ＳＣ（ａ＋１）〜ＳＣｎに走査パルスＶａｙを順次印加するので、上述した通り、ライトペンの示すｙ座標を正確に検出することができる。
【０１２６】
このように動作開始信号ＳＩＤを用いて走査ＩＣの動作順番を画像表示サブフィールドとｙ座標検出サブフィールドとでそれぞれ制御することで、高品質で高画質な表示装置と表示装置システムを実現する。
【産業上の利用可能性】
【０１２７】
本発明は、座標位置を検出するための安定した放電を発生させ、精度よくライトペンの座標位置を検出することができるので、プラズマディスプレイ装置やエレクトロルミネッセンスを活用した表示装置、それらの表示装置システムに有用である。
【符号の説明】
【０１２８】
１０    パネル
１２    走査電極
１３    維持電極
２２    データ電極
３０    プラズマディスプレイ装置
３１    画像信号処理回路
３２Ｕ、３２Ｄ    データ電極駆動回路
３３Ｕ、３３Ｄ    走査電極駆動回路
３４Ｕ、３４Ｄ    維持電極駆動回路
３５    タイミング発生回路
４２    受信回路
４４    描画回路
５０    ライトペン
５１    描画スイッチ
５２    受光素子
５４    タイミング検出回路
５６    座標算出回路
５８    送信回路
【図１】
2013186457.tif 000003
【図２】
2013186457.tif 000004
【図３】
2013186457.tif 000005
【図４】
2013186457.tif 000006
【図５】
2013186457.tif 000007
【図６】
2013186457.tif 000008
【図７】
2013186457.tif 000009
【図８】
2013186457.tif 000010
【図９】
2013186457.tif 000011
【図１０】
2013186457.tif 000012
【図１１】
2013186457.tif 000013
【図１２】
2013186457.tif 000014